(57)【特許請求の範囲】
【請求項１】
グループ区分された複数の表示窓と、
グループ区分された表示窓を選択して、その表示窓にワイヤレス発信器のＩＤコードを登録させる登録グループ選択スイッチと、
ワイヤレス発信器からのＩＤコードを受信する毎に、登録グループ選択スイッチによって選択された表示窓に割り付けて自動登録するＩＤコード自動登録手段とを備えたことを特徴とするワイヤレス表示受信器。
【請求項２】
請求項１において、
グループ区分された表示窓は、グループ毎に色分けされていることを特徴とするワイヤレス表示受信器。
【請求項３】
請求項１において、
グループ区分された表示窓は、上下に２段に配列されていることを特徴とするワイヤレス表示受信器。
【請求項４】
ワイヤレス発信器から受信した表示データを表示させる表示窓と、
ワイヤレス発信器に割り当てるべきグループを選択する登録グループ選択スイッチと、
ワイヤレス発信器からＩＤコードを受信する毎に、そのＩＤコードを、登録グループ選択スイッチによって選択されたグループに自動的に割り付けて登録するＩＤコード自動登録手段とを備え、
上記表示窓には、ワイヤレス発信器から受信した表示データを、グループ識別情報によって特定される態様で表示されることを特徴とするワイヤレス表示受信器。
【請求項５】
請求項４において、
表示窓には、表示データとともに、グループを識別するマーキングが付加されて表示されることを特徴とするワイヤレス表示受信器。
【請求項６】
請求項４において、
表示窓に表示される表示データを、区分されたグループに応じて点滅速度を変えて表示していることを特徴とするワイヤレス表示受信器。
【請求項７】
請求項４において、
表示窓に表示される表示データを、区分されたグループに応じて表示色を変えて表示していることを特徴とするワイヤレス表示受信器。
【請求項８】
複数の表示窓と、
この複数の表示窓をグループ区分して、ワイヤレス発信器を登録させて処理するグループ対応モードと、上記複数の表示窓をグループ区分せずに、ワイヤレス発信器を登録させて処理するグループ非対応モードとを選択するモード切換選択スイッチと、
ワイヤレス発信器からのＩＤコードを受信する毎に、モード切換選択スイッチによって選択されたグループ登録モード、通常登録モードに応じて、受信したワイヤレス発信器のＩＤコードを自動登録するＩＤコード自動登録手段とを備えたことを特徴とするワイヤレス表示受信器。
【発明の詳細な説明】
【０００１】
【発明の属する技術分野】
本発明は、レストランや旅館等で、客席や厨房に設けられたワイヤレス発信器と組み合わせてワイヤレスコールシステムを構成するために使用されるワイヤレス表示受信器に関する。
【０００２】
【従来の技術】
近時、レストラン等では、ワイヤレスコールシステムが広く導入されており、サービスの効率化、人件費の節減等、大きな効果を発揮している。
このようなワイヤレスコールシステムは、特開平７−１０２７８４号などに見るように既に公知であるが、レストランを例にして説明すれば、すべての客席にはワイヤレス発信器を設置する一方、厨房にはワイヤレス集中発信器を設置して、それらに対応して、ホールの所定位置に、それぞれに対応させたワイヤレス表示受信器を２台設置している。
【０００３】
したがって、このような構成では、呼出系統は２つのグループに区分されており、１つのグループでは、客席に設けられたワイヤレス発信器からの呼出に対して、一方のワイヤレス表示受信器で受信し、ワイヤレス発信器に予め割り付けられた番号を表示しており、他のグループでは、厨房に設けられたワイヤレス集中発信器からの呼出があれば、シェフ等が指定した番号を、それに対応して設置した別のワイヤレス表示受信器に表示している。
【０００４】
【発明が解決しようとする課題】
しかしながら、従来のワイヤレス表示受信器では、１グループのワイヤレス発信器からの呼出に対応してのみ有効としているので、グループが異なれば、それに応じてワイヤレス発信器とワイヤレス表示受信器を設置されなければならない。  そのため、設備費が増大するだけでなく、消費電力も大きくなり、機器の占有面積が大きくなってしまうために外観も煩雑で見苦しくなってしまう。などの問題があった。
【０００５】
本発明は、上記事情に鑑みて提案されるもので、第１の目的は、上記のような２系統、もしくは２系統以上のワイヤレス発信器からの呼出系統に対応しても１台で対応できるワイヤレス表示受信器を提供することを目的としている。
また、第２の目的は、グループに対応した使用方法と、グループに対応させない使用方法とを、使用目的に応じて切り換えて使用できるワイヤレス表示受信器を提供することを目的としている。
【０００６】
【課題を解決するための手段】
上記第１の目的を達成するために、本発明では、請求項１〜７に記載のワイヤレス表示受信器を提案している。
すなわち、請求項１〜３は、ワイヤレス表示受信器に、ワイヤレス発信器のグループに対応して複数の表示窓を設けたものであり、表示窓の配列、窓枠や窓部の外観構造に特徴を有したものである。
【０００７】
請求項１に記載のワイヤレス表示受信器では、グループ区分された複数の表示窓と、グループ区分された表示窓を選択して、その表示窓にワイヤレス発信器のＩＤコードを登録させる登録グループ選択スイッチと、ワイヤレス発信器からのＩＤコードを受信する毎に、ワイヤレス発信器のＩＤコードを登録グループ選択スイッチによって選択された表示窓に割り付けて自動登録するＩＤコード自動登録手段とを備えている。
【０００８】
このワイヤレス表示受信器では、登録グループ設定スイッチによって、表示窓のグループを選択してから、ワイヤレス発信器を発信させれば、ＩＤコード自動登録手段は、受信した電波信号からワイヤレス発信器のＩＤコードを抽出し、登録グループ選択スイッチによって選択された表示窓に割り付けて自動登録するものである。
【０００９】
請求項２，３に記載のワイヤレス表示受信器では、表示窓の構成を提案しており、請求項２では、グループ区分された表示窓は、判別が容易なようにグループ毎に色分けされており、請求項３では、グループ区分された表示窓は、上下に２段に配列されている。
ここに、表示窓の色分けは、窓枠や窓部の全体が赤や白で色分けするなどの方法が採用できる。また、グループ区分された表示窓は、区分されるグループの数が増加すれば、上下方向に３段以上に配列させてもよい。
【００１０】
請求項４〜７は、ワイヤレス表示受信器の表示窓に表示される表示データを、グループ識別情報によって特定される態様で表示できるようにしたものである。したがって、この態様では、表示窓の物理的な構造は、同じであってもよく、主としてソフト処理によってグループ区分の識別を可能としている。
すなわち、請求項４に記載のワイヤレス表示受信器では、ワイヤレス発信器から受信した表示データを表示させる表示窓と、ワイヤレス発信器のＩＤコードを登録させる登録グループを選択する登録グループ選択スイッチと、ワイヤレス発信器からＩＤコードを受信する毎に、そのＩＤコードを、登録グループ選択スイッチによって選択されたグループに自動的に割り付けて登録するＩＤコード自動登録手段とを備えており、表示窓には、ワイヤレス発信器から受信した表示データを、グループ識別情報によって特定される態様で表示されることを特徴としている。
【００１１】
請求項５〜７には、グループ区分の識別を可能にする種々の表示態様を実現するワイレス表示受信器が提案されており、請求項５では、表示窓には、表示データとともに、グループを識別するマーキングが付加されるもの、請求項６では、表示窓に表示される表示データを、区分されたグループに応じて点滅速度を変えて表示するもの、請求項７では、表示窓に表示される表示データを、区分されたグループに応じて表示色を変えて表示するものが提案されている。
【００１２】
ここに、ワイヤレス表示受信器は、登録グループ選択スイッチによってグループを選択設定した後にワイヤレス発信器を発信させれば、ワイヤレス発信器から受信した電波信号から抽出し、解読したＩＤコードを、登録グループ選択スイッチによって選択されたグループに自動的に割り付けて登録する基本動作をなしており、この点は、請求項１〜３のワイヤレス表示受信器と同じである。また、表示データとは、ワイヤレス発信器に予め割り付けられた番号や、ワイヤレス集中発信器を操作して指定した番号などで代表される識別数字、記号などを意味するものである。
【００１３】
請求項８では、上記第２の目的を達成するため、グループ対応モードと、グループ非対応モードの切り換え設定の可能なワイヤレス表示受信器が提案されている。
このワイヤレス表示受信器は、複数の表示窓を備えており、この複数の表示窓は、予めグループ区分して、ワイヤレス発信器のＩＤコードを登録させて処理するグループ対応モードと、複数の表示窓をグループ区分せずに、ワイヤレス発信器のＩＤコードを登録させて処理するグループ非対応モードとを、モード切換選択スイッチによって選択することができ、ＩＤコード自動登録手段では、いずれのモードにおいても、選択されたグループ登録モード、通常登録モードに応じて、ワイヤレス発信器からのＩＤコードを受信する毎に自動登録できる構成としている。
【００１４】
ここに、複数の表示窓は、請求項１〜３において提案されたように、物理的な特徴を有したものでもよく、またグループ登録モードでは、物理的な特徴によって区分された表示窓や、請求項４〜７において提案されたように、表示データにグループ識別情報を付加することによって、グループを識別表示できるようにしてもよい。
【００１５】
【発明の実施の形態】
以下に、図面を用いて、本発明のワイヤレス表示受信器Ａについて説明する。
図１は、本発明のワイヤレス表示受信器Ａの一例を示す外観図である。
このワイヤレス表示受信器Ａは、表示窓１０，登録グループ選択スイッチｓｗ，スピーカｓｐ，受信ランプＤ，モード表示ランプＤ’、アンテナＡＮＴを備えている。
【００１６】
なお、登録グループ選択スイッチｓｗは、表示受信器Ａの表示窓の側方に設けられており、通常の使用時には、カバーが被せられるようになっている。また、受信ランプＤやモード表示ランプＤ’は、いずれも、カバーを被せた状態で外方から視認できるようになっている。
表示窓１０は、上下２段１０Ａ、１０Ｂに区分されており、Ａグループのワイヤレス発信器から受信した表示データＳは上段１０Ａに、Ｂグループのワイヤレス発信器から受信した表示データＳは、下段１０Ｂに順次表示されるようになっている。
【００１７】
なお、上下２段に区分された表示窓１０Ａ、１０Ｂのそれぞれは、更に小さい小窓に区分されていてもよく、区分されない構造であってもよい。前者の場合、ワイヤレス発信器から受信した表示データは、その小窓に対応して表示されるが、後者の場合は、横長になった表示窓に、複数の表示データが順次整列して表示される。
【００１８】
この実施例では、表示窓１０は、登録されたワイヤレス発信器のグループＡ，Ｂに応じて、上下に区分して設けているが、この例に限られず、左右に区分配列してもよいし、グループ毎に色分けして区分してもよい。また、Ａグループ、Ｂグループを識別するグループ識別ランプを付加してもよく、要は表示窓１０がグループ区分できればよい（請求項１〜３）。
【００１９】
また、表示窓１０は、グループに応じて区分せずに、１つの表示窓に、ワイヤレス発信器の表示データＳをグループ区分して順次表示出来るようにしてもよい。
すなわち、表示データＳとともに、図１に示したように、グループ識別情報Ｍとして、（Ａ），（Ｂ）などの付加データを表示したり、表示データＳを、点灯と点滅などを使い分けるなどの方法によって点灯態様を変えたり、点滅速度を変えたり、あるいは表示色を変えるなどの方法が可能である（請求項４〜７）。
【００２０】
登録グループ選択スイッチｓｗは、スライドスイッチで構成されており、これをスライド操作することで、全消去モード、通常モード、登録１モード、登録２モードのいずれかを選択するようにしている。
ここに、全消去モードは、後述するＩＤコード登録テーブルに既に登録されているすべてのワイヤレス発信器のＩＤコードを消去する動作を意味し、通常モードは、ワイヤレス表示受信器のうち、ＩＤコードを登録したものだけの表示データを受信し、グループ区分された表示窓１０Ａ，１０Ｂに表示する動作を意味し、登録１、２モードは、ワイヤレス発信器から受信されたＩＤコードを、ＡグループとＢグループに区分させて登録する動作を意味している。
【００２１】
スピーカｓｐ、受信ランプＤ、モード表示ランプＤ’は、ワイヤレス発信器より電波信号を受信したときに、ユーザーに対して、音声や発光などによって、その旨を報知する報知部を構成している。
次に、ワイヤレス表示受信器Ａの内部構成について説明する。
図２は、ワイヤレス表示受信器の要部構成の一例について示すブロック図である。
【００２２】
このワイヤレス表示受信器Ａは、ワイヤレス発信器から送出される表示データを表示するための表示窓１０，スピーカｓｐや受信ランプＤ、モード表示ランプＤ’で構成される報知部１１，ワイヤレス発信器より送出されてくる電波信号をアンテナＡＮＴを介して受信するための無線信号受信部１２，無線信号受信部１２で受信した電波信号を復調するための復調部１３，復調部１３で復調されたデータを波形成形するための波形成形部１４，電波信号の受信制御を行うための多チャンネル対応型のＰＬＬ制御部１５，ＣＰＵ等で構成され、本発明のＩＤコード自動登録手段を構成する信号処理部１６，ＲＡＭやＲＯＭ等で構成され、このワイヤレス表示受信器Ａが動作するために必要な各種プログラムや、ワイヤレス発信器のＩＤコードを記憶するためのＩＤコード登録テーブルＴを備えた記憶部１７，登録グループ選択スイッチｓｗを備えている。
【００２３】
このような構成によれば、登録グループ選択スイッチｓｗを登録１モードに設定してから、システム内のワイヤレス発信器のそれぞれを順次操作すれば、電波信号の形で送信されて来るそれぞれのＩＤコードを受信解読した後、順次Ａグループに割り付けてＩＤコード登録テーブルＴに自動登録することができ、また、登録グループ選択スイッチを登録２モードに設定し、ワイヤレス発信器を操作すれば、それぞれのワイヤレス発信されるＩＤコードを受信解読して、Ｂグループに割り付けて、ＩＤコード登録テーブルＴに自動登録することができる一方、通常モードに設定すれば、ワイヤレス発信器からのＩＤコードを受信したとき、そのＩＤコードの登録を確認した後に、Ａグループ、Ｂグループに区分して、それぞれのグループに対応した表示窓１０Ａ、１０Ｂに、表示データＳを表示し、あるいは消去できる。
【００２４】
ここに、ＩＤコード登録テーブルＴは、図３に示すようになマップエリアを有したものが採用できる。
すなわち、図３（ａ）は、グループとＩＤコードとを対応した登録するための登録エリアを有しており、前述した登録グループ選択スイッチｓｗのモード選択操作によって、登録１，２のいずれのモードに応じて登録エリアを切り換えて、ワイヤレス発信器のＩＤコードＩ１〜Ｉ１２…を、グループＡ、グループＢのいずれかに区分して登録できるようにしたもの、図３（ｂ）は、後述するグループ非対応モードの通常登録時において使用されるもので、グループ区分がなく、ワイヤレス発信器のＩＤコードのみを登録するものを示している。
【００２５】
図４は、ワイヤレス発信器から送信される電波信号の伝送フォーマットを示している。
このシステムでは、ワイヤレス発信器としては、操作スイッチを１つだけ設けた卓上発信器、複数の操作キーを配列して設けた集中発信器などの小電力対応型のものが使用されるが、操作スイッチを操作して発信される電波信号は、図４に示したように、キャリアＳ１、ＲＣＲＳ２の後ろに、同じデータを含んだ４つのフレームＳ３を連送させることによって信頼性を向上させており、それぞれのフレーム１Ｓ３〜４Ｓ３には、フレームの始まりを規定する同期信号Ｓ０と、制御データｍ１、表示データｍ２、ＩＤコードｉｄを含んだメッセージｍを有している。
【００２６】
ここに、制御データは、ワイヤレス発信器の呼出、消去スイッチを操作することによって、表示データを呼出、消去するコマンド信号であり、ＩＤコードは、更に発信器ＩＤコードｉｄ１と、操作キー識別コードｉｄ２とに区分され、操作キー識別コードｉｄ２は、集中発信器の操作キーのそれぞれに対応して割り付けられている。ここに、ＩＤコードｉｄは、ワイヤレス発信器の製造段階から予め固定的に設定しておけば、ユーザ側では設定する必要がなく便利である。
【００２７】
ついで、請求項８において提案されたワイヤレス表示受信器を説明する。
このワイヤレス表示受信器は、前述したグループ対応モードの他、グループ非対応モードでの使用も可能になっており、その内部回路は、図２のブロック図における記憶部１７と、登録グループ選択スイッチｓｗの構成が異なる。
すなわち、記憶部１７には、図３（ａ）に示したグループ対応型のＩＤコード登録テーブルに加えて、図３（ｂ）に示したグループ非対応型のＩＤコード登録テーブルを備えており、登録グループ選択スイッチｓｗは、図５に示したように、グループ対応モードと、グループ非対応モードとの双方のモードを切り換え設定できるようにしたモード切換選択スイッチｓｗ’に置き換えた構成とされる。
【００２８】
ここに、グループ対応モードは、ワイヤレス発信器を前述したグループに区分して登録し、表示あるいは消去させるモードを意味しており、登録１はワイヤレス発信器にグループＡを割り付けて登録する動作、登録２はワイヤレス発信器にグループＢを割り付けて登録する動作、グループ通常は、ワイヤレス発信器から表示データを受けたときに、ＩＤコードの登録を確認し、グループ区分された表示窓に表示データを表示あるいは消去させる動作を示している。また、グループ非対応モードでは、登録と通常の２つの設定が可能であり、登録は、ワイヤレス発信器をグループ区分せず登録する動作、通常はグループ区分されずに登録されたワイヤレス発信器の表示データを表示窓に表示あるいは消去させる動作を意味している。
【００２９】
ついで、ワイヤレス表示受信器の動作について、フローチャートとともに説明する。この図６では、請求項８において提案されたワイヤレス表示受信器の基本動作を説明している。
図６のステップ１００〜１０４は、ワイヤレス表示受信器がワイヤレス発信器からキャリアを受けた場合の基本動作を示している。
【００３０】
信号処理部１６では、無線信号受信部１２がキャリアを受信すると（１００）、モード切り換えスイッチｓｗ’によって設定されているモードを判別する。（１０１）
すなわち、通常モードであるか、登録モードであるかが最初に判別され、通常モードであれば、更にグループ対応モードであるか、グループ非対応モードであるかの判別がなされ（１０２）、それぞれに応じた処理がなされる。
【００３１】
また、ステップ１０１において、登録モードである場合には、最初にグループ対応モードを判別するため、グループ登録１、２のモードの種別が判別されて（１０３，１０４）、それぞれに応じた処理がなされ、登録１、２のいずれのモードでもない場合には、グループ非対応モードの通常登録モードと判別され、処理される。
【００３２】
なお、図６に示したフローチャートでは、最初に通常モード、登録モードの判別を行っているが、このような方法に限られず、最初にグループ対応、グループ非対応を判別した後、それぞれに登録モード、通常モードの判別を行ってもよい。
図７のステップ２００〜２０４は、ワイヤレス表示受信器におけるＩＤコードの自動登録モードの基本動作を説明している。この図７では、グループ非対応モードの基本動作を示しているが、グループ対応モードの場合には、前述したように登録１、２の判別がなされた後、Ａグループ、Ｂグループに区分されて登録される。
【００３３】
ワイヤレス表示受信器のモード切換スイッチｓｗ‘を非対応モードの登録モードに切り換えると、モード表示ランプＤ’が点滅して、登録モードに設定されたことが報知される。（２００）
ついで、登録すべきワイヤレス発信器を操作すると、ワイヤレス表示受信器Ａは、アンテナＡＮＴによって電波信号を受信する。（２０１）すると、受信ランプＤが点灯され（２０２）、復調部１３で復調された後、波形成形部１４で波形成形され、信号処理部１６は電波信号に含まれたＩＤコードを抽出し（２０３）、抽出したＩＤコードを記憶部１７のＩＤコード登録テーブルＴに格納する。（２０４）
ここに、ＩＤコード登録テーブルＴは、グループ対応モードの場合には、表示窓１０に割り当てたグループ情報を、受信解読したＩＤコードに対応させて登録して、図３（ａ）に示したような登録テーブルが作成され、グループ非対応モードの場合には、受信したＩＤコードを図３（ｂ）に示したような登録テーブルに登録させ、グループの割り当てをしないまま登録する。
【００３４】
なお、ステップ２０４で、ＩＤコードを登録する際に、抽出した表示データＳを表示窓１０に表示させて、スピーカＳＰから、例えば、「○○番をグループ○に登録します。」といった音声メッセージを鳴動させたり、ブザーを鳴動させるなどの方法でユーザーに、その旨を通知するようにしてもよい。
次に、通常モードの基本動作について説明する。
【００３５】
図８のステップ３００〜３０５は、グループ非対応モードにおける表示処理の基本動作を示しているが、グループ対応モードの場合には、Ａグループ、Ｂグループが判別された後、それぞれの表示窓に表示あるいは消去がなされる。
まず、通常モードに設定されると、モード表示ランプＤ’は点灯に変化し（３００）、ワイヤレス発信器から電波信号を受信すると（３０１）、受信ランプＤは点灯する。（３０２）
ついで、受信された電波信号は復調部１３で復調された後、波形成形部１４で波形成形され、信号処理部１６は電波信号に含まれたＩＤコードを抽出する。（３０３）
信号処理部１６は、記憶部１７のＩＤコード登録テーブルＴを参照し、抽出したＩＤコードがＩＤコード登録テーブルＴに格納されているかどうかを判断し（３０４）、そのＩＤコードが登録されておれば、ワイヤレス発信器から発信された表示データＳは有効なものと判断され、表示窓に表示する。（３０５）
しかし、抽出したＩＤコードがＩＤコード登録テーブルＴに登録されていない場合には（３０４）、その表示データＳは無効とされ、表示はされない。
【００３６】
以上のような構成のワイヤレス表示受信器は、グループ対応モードで使用する場合、その使用目的に応じて、種々の態様で実施できる。
図９は、病院の薬局での薬引換え表示器に使用した例を示している。
この例では、表示窓１０は、上下２段に区分された表示窓のうち、Ａグループとして使用する上段１０Ａ’には、表示データＳを表示する窓部分に、「まで準備完了」といった表記がなされ、Ｂグループとして使用する下段１０Ｂ’には、表示データＳを表示する窓部分に、「未完了」といった表記が付加されている。
【００３７】
ワイヤレス表示システムとしては、このようなワイヤレス表示受信器Ａ’に加えて、Ａグループ、Ｂグループの２系統に区分されたワイヤレス発信器が準備され、それぞれの２系統のワイヤレス発信器から発信されるＩＤコードを、ＡとＢの２つのグループに区分して登録できるようにしている。
このような構成によれば、Ａグループのワイヤレス発信器では、薬の引換えが準備できたもっとも最新の整理番号を表示データ（図９では「１９」）として発信し、Ｂグループのワイヤレス発信器では、薬の引換え準備が完了していない整理番号（図９では「５」「１０」「１２」）を個別に表示データとして発信することによって、ワイヤレス表示受信器では、その表示部１０’に、患者などに対して分かり易く表示することが出来る。
【００３８】
【発明の効果】
以上の説明から理解できるように、本発明のワイヤレス表示受信器によれば次のような効果が奏される。
すなわち、請求項１〜３において提案されたワイヤレス表示受信器では、登録グループ選択スイッチの切り換え操作によって、複数のワイヤレス発信器を、任意のグループに区分して登録できるので、１台のワイヤレス表示受信器によって、複数の呼出系統に対応できる。
【００３９】
また、ワイヤレス発信器を操作するだけで、ワイヤレス発信器から発信されて来るＩＤコードを、ＩＤコード自動登録手段によって、グループ区分して表示窓に割り付けて自動登録するので、ユーザーにとって使い勝手がよく、利便である。
請求項４〜７において提案されたワイヤレス表示受信器では、グループ区分して登録させた表示データは、グループ識別情報によって特定される態様で表示されるため、表示窓を予めグループ区分した構造に形成しなくても、ソフト処理することによって、複数のワイヤレス発信器を、任意のグループに区分して対応できる。
【００４０】
したがって、グループ区分した表示窓を有さない既存のワイヤレス表示受信器に対しても、ソフト処理を施すことによって容易に実現することが出来る。
更に、請求項８において提案されたワイヤレス表示受信器では、モード切換選択スイッチの操作によって、グループ対応モードと、グループ非対応モードに切り換え設定して使用できるので、使用目的に応じて最適な使用方法が可能な融通性のよいワイヤレス表示システムが実現できる。
【図面の簡単な説明】
【図１】本発明のワイヤレス表示受信器の一実施例の外観構成を示す図である。
【図２】ワイヤレス表示受信器の内部構成を示すブロック図。
【図３】ＩＤコード登録テーブルの一例を示しており、（ａ）はグループ区分の登録を行う場合に使用するＩＤコード登録テーブルの一例、（ｂ）はグループ区分せずに登録を行う場合に使用するＩＤコード登録テーブルの一例を、それぞれ示す図である。
【図４】ワイヤレス発信器から電波信号の形で発信されるデータの伝送フォーマットを示す図。
【図５】モード切換選択スイッチの他例を示す図。
【図６】ワイヤレス表示受信器の基本動作の一例を示すフローチャート。
【図７】自動登録モードの基本動作の一例を示すフローチャート。
【図８】通常モードの基本動作の一例を示すフローチャート。
【図９】ワイヤレス表示受信器の他の使用例を示す図。
【符号の説明】
Ａ・・・ワイヤレス表示受信器
１０，１０’・・・  表示窓
１０Ａ，１０Ｂ，１０Ａ’，１０Ｂ’・・・グループ区分された表示窓
ｓｗ・・・登録グループ選択スイッチ
１６・・・ＩＤコード自動登録手段（信号処理部）
Ｍ・・・グループ識別情報
ｓｗ’・・・モード切換選択スイッチ
Ｓ・・・表示データ
【図１】
0003560125.tif 000002
【図２】
0003560125.tif 000003
【図３】
0003560125.tif 000004
【図４】
0003560125.tif 000005
【図５】
0003560125.tif 000006
【図６】
0003560125.tif 000007
【図７】
0003560125.tif 000008
【図８】
0003560125.tif 000009
【図９】
0003560125.tif 000010